(57)【要約】【課題】ユーザーが煩雑な作業を行うことなく、最適な階調性と圧縮形式の画像データを作成する。【解決手段】読み取った原稿の画像データに基づいてスキャナＩ／Ｆ１４０の像域分離（文字判定）部で文字部分を含むか判定し、色判定部で有彩色を含むか判定することにより、原稿の特徴を抽出し、その原稿の特徴に応じて、Ｇｒａｐｈｉｃ  Ｐｒｏｃｅｓｓｏｒ１３５で画像データの画像フォーマットが変換され、変換された画像データがＨＤ１６２に格納される。【選択図】      図４
2005027037.tif 000002
【特許請求の範囲】
【請求項１】
原稿読取手段で読み取った原稿の特徴に応じて該原稿の画像フォーマットを変換するフォーマット変換方法であって、
原稿読取手段で読み取った原稿の画像データに基づいて前記原稿の特徴を抽出する工程と、
抽出された原稿の特徴に応じて前記画像データの画像フォーマットを変換する工程とを有することを特徴とするフォーマット変換方法。
【請求項２】
前記画像フォーマットが変換された画像データを格納手段に格納する工程を更に有することを特徴とする請求項１に記載のフォーマット変換方法。
【請求項３】
前記抽出する工程は、前記画像データが文字部分を含むか、有彩色を含むかを判定し、その判定結果に従って前記原稿の特徴を抽出することを特徴とする請求項２に記載のフォーマット変換方法。
【請求項４】
前記画像データが有彩色を含む場合はカラー多値原稿とし、有彩色を含まず且つ所定以上文字部分を含む場合は単純二値原稿とし、有彩色を含まず且つ所定以上文字部分がなければハーフトーン二値原稿とし、それ以外であれば白黒多値原稿とすることを特徴とする請求項３に記載のフォーマット変換方法。
【請求項５】
前記変換する工程は、前記原稿の特徴がカラー多値の場合はカラー用の色空間変換、ＪＰＥＧ圧縮を行い、単純二値の場合は単純二値用の色空間変換、ＭＭＲ圧縮を行い、ハーフトーン二値の場合はハーフトーン二値用の空間変換、ＭＭＲ圧縮を行い、白黒多値の場合は白黒多値用の色空間変換、ＪＰＥＧ圧縮を行い前記画像データの画像フォーマットを変換することを特徴とする請求項４に記載のフォーマット変換方法。
【請求項６】
原稿読取手段で読み取った原稿の特徴に応じて該原稿の画像フォーマットを変換する画像処理装置であって、
原稿読取手段で読み取った原稿の画像データに基づいて前記原稿の特徴を抽出する抽出手段と、
抽出された原稿の特徴に応じて前記画像データの画像フォーマットを変換する変換手段と、
前記画像フォーマットが変換された画像データを格納する格納手段とを有することを特徴とする画像処理装置。
【請求項７】
コンピュータに請求項１に記載されたフォーマット変換方法の各手順を実行させるためのプログラム。
【請求項８】
請求項７に記載のプログラムが記録されたコンピュータ読み取り可能な記録媒体。
【発明の詳細な説明】
【０００１】
【発明の属する技術分野】
本発明は、原稿読取手段で読み取った原稿の特徴に応じて該原稿の画像フォーマットを変換する技術に関するものである。
【０００２】
【従来の技術】
従来、画像入出力装置において、原稿を画像入出力装置の光学系の読取装置で読み取り、デジタル画像として蓄積し、画像入出力装置にネットワークインターフェースなどで接続されたホストコンピュータに蓄積したデジタル画像を転送することが行われている。
【０００３】
一般的に、原稿画像を読み込んで作成され、画像入出力装置からネットワークインターフェースなどで接続されたコンピュータに転送されるデジタル画像は、転送先のコンピュータのもつアプリケーションが扱える画像フォーマット形式であるＪＰＥＧ圧縮形式、ＴＩＦＦ−ＭＭＲ圧縮形式などに変換されて送られる。
【０００４】
また、カラー原稿を扱える画像入出力装置においては、転送先のコンピュータで原稿の色再現性などを考慮し、画像入出力装置の原稿読取手段でカラー原稿か白黒原稿かを判断し、カラー原稿の場合にはＪＰＥＧ圧縮形式の画像フォーマット、白黒原稿の場合にはＴＩＦＦ−ＭＭＲ圧縮形式の画像フォーマットに変換される（例えば、特許文献１参照）。
【０００５】
【特許文献１】
特開２００１−３０９１８９号公報
【発明が解決しようとする課題】
しかしながら、上記従来例では、絵又は写真部分の多い白黒原稿である新聞、雑誌などの場合には、単純に白黒二値のＴＩＦＦ−ＭＭＲ圧縮形式の画像フォーマットに変換すると、絵又は写真部分の階調性が失われてしまう、という問題がある。
【０００６】
この問題を解決するには、白黒原稿であってもＪＰＥＧ圧縮形式などの多値で圧縮する画像フォーマットに変換すれば良いが、この場合、ＴＩＦＦ−ＭＭＲ圧縮形式の画像フォーマットと比較して画像データのデータ量が大きくなる、という問題が発生してしまう。
【０００７】
このような問題を解決するためには、ユーザーにより画像フォーマットを選択させるという手段もあるが、この場合、複数枚の原稿をコンピュータに転送する際に、一枚ずつ原稿の画像ファイルフォーマットを指定して原稿を読み込む、という作業をユーザーが繰り返さなくてはならず、ユーザーに対して多大な負荷をかけることになる。
【０００８】
本発明は、上記課題を解決するためになされたもので、ユーザーが煩雑な作業を行うことなく、最適な階調性と圧縮形式の画像データに変換することを目的とする。
【０００９】
【課題を解決するための手段】
上記目的を達成するために、本発明は、原稿読取手段で読み取った原稿の特徴に応じて該原稿の画像フォーマットを変換するフォーマット変換方法であって、原稿読取手段で読み取った原稿の画像データに基づいて前記原稿の特徴を抽出する工程と、抽出された原稿の特徴に応じて前記画像データの画像フォーマットを変換する工程とを有することを特徴とする。
【００１０】
また上記目的を達成するために、本発明は、原稿読取手段で読み取った原稿の特徴に応じて該原稿の画像フォーマットを変換する画像処理装置であって、原稿読取手段で読み取った原稿の画像データに基づいて前記原稿の特徴を抽出する抽出手段と、抽出された原稿の特徴に応じて前記画像データの画像フォーマットを変換する変換手段と、前記画像フォーマットが変換された画像データを格納する格納手段とを有することを特徴とする。
【００１１】
【発明の実施の形態】
以下、図面を参照しながら本発明に係る実施の形態を詳細に説明する。
【００１２】
図１は、本実施形態における画像入出力システムの全体構成を示す図である。図１に示すように、リーダー部（画像入力装置）２００は、原稿画像を光学的に読み取り、画像データに変換して出力する。このリーダー部２００は、原稿を読み取るための機能を持つスキャナユニット２１０と、原稿用紙を搬送するための機能を持つ原稿給紙ユニット（ＤＦユニット）２５０とで構成される。
【００１３】
一方、プリンタ部（画像出力装置）３００は、記録紙を搬送し、記録紙上に画像データを可視画像として印字して装置外に排紙する。このプリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１４】
また、制御装置（コントローラ部１１０は、リーダー部２００及びプリンタ部３００と電気的に接続され、更にネットワーク４００を介してホストコンピュータ（ＰＣ）４０１，４０２と接続されている。この制御装置１１０は、リーダー部２００を制御して原稿の画像データを読み込み、プリンタ部３００を制御して画像データを記録用紙に出力するコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１５】
また、操作部１５０は、制御装置１１０に接続され、液晶タッチパネルで構成され、画像入出力システム１００を操作するためのユーザＩ／Ｆを提供する。
【００１６】
図２は、リーダー部２００及びプリンタ部３００の側断面図である。リーダー部２００の原稿給紙ユニット２５０は、原稿を先頭順に１枚ずつプラテンガラス２１１上へ給送し、原稿の読み取り動作が終了した後、プラテンガラス２１１上の原稿を排出するものである。原稿がプラテンガラス２１１上に搬送されると、ランプ２１２を点灯し、そして光学ユニット２１３の移動を開始させて原稿を露光走査する。この時の原稿からの反射光は、ミラー２１４、２１５、２１６及びレンズ２１７によってＣＣＤイメージセンサ（以下、ＣＣＤという）２１８へと導かれる。このように、走査された原稿の画像はＣＣＤ２１８によって読み取られる。
【００１７】
リーダー部２００において、２２２はリーダー画像処理部であり、ＣＣＤ２１８から出力される画像データに所定の処理を施し、スキャナＩ／Ｆを介して制御装置１１０へ出力するところである。
【００１８】
プリンタ部３００において、３５２はプリンタ画像処理部であり、プリンタＩ／Ｆを介して制御装置１１０から送られる画像信号をレーザドライバ３１７へ出力するところである。このレーザドライバ３１７は、レーザ発光部３１３、３１４、３１５、３１６を駆動するものであり、プリンタ画像処理部３５２から出力された画像データに応じたレーザ光をレーザ発光部３１３、３１４、３１５、３１６に発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって潜像を現像するための現像器であり、現像された各色のトナーは用紙に転写されフルカラーのプリントアウトがなされる。
【００１９】
用紙カセット３６０、３６１及び手差しトレイ３６２のいずれかより、レーザ光の照射開始と同期したタイミングで給紙された用紙は、レジストローラ３３３を経て転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０が排出された記録紙を束ねて記録紙の仕分けを行ったり、仕分けされた記録紙のステイプルを行った後、トレイ３７１上に載置する。
【００２０】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２１】
＜リーダー画像処理部の説明＞
図３は、リーダー画像処理部２２２の詳細な構成を示すブロック図である。このリーダー画像処理部２２２では、プラテンガラス２１１上の原稿はＣＣＤ２１８によって読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤでそれぞれＲフィルタ・Ｇフィルタ・ＢフィルタをそれぞれのＣＣＤ毎に並べたものでも構わないし、フィルタがオンチップ化又はフィルタがＣＣＤと別構成になったものでも構わない）。そして、その電気信号（アナログ画像信号）はリーダー画像処理部２２２に入力され、クランプ＆Ａｍｐ．＆Ｓ／Ｈ＆Ａ／Ｄ部３０１でサンプルホールド（Ｓ／Ｈ）され、アナログ画像信号のダークレベルを基準電位にクランプし、所定量に増幅され（上記処理順番は表記順とは限らない）、Ａ／Ｄ変換され、例えばＲＧＢ各８ビットのデジタル信号に変換される。そして、ＲＧＢ信号はシェーディング部３０２で、シェーディング補正及び黒補正が施された後、制御装置１１０へと出力される。
【００２２】
＜制御装置の説明＞
次に、制御装置１１０の機能を、図４に示すブロック図を用いて説明する。図４に示すように、メインコントローラ１１１は、主にＣＰＵ１１２、バスコントローラ１１３、各種Ｉ／Ｆコントローラ回路から構成される。
【００２３】
ＣＰＵ１１２とバスコントローラ１１３は制御装置１１０全体の動作を制御するものであり、ＣＰＵ１１２はＲＯＭ１１４からＲＯＭＩ／Ｆ１１５を経由して読み込んだプログラムに基づいて動作する。また、ホストコンピュータから受信したＰＤＬ（ページ記述言語）コードデータを解釈し、ラスターイメージデータに展開する動作もこのプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２４】
ＤＲＡＭ１１６は、ＤＲＡＭＩ／Ｆ１１７によってメインコントローラ１１１と接続されており、ＣＰＵ１１２が動作するためのワークエリアや画像データを蓄積するためのエリアとして使用される。
【００２５】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に、圧縮されて蓄積されたコードデータをラスターイメージデータに伸長する。ＳＲＡＭ１１９は、Ｃｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００２６】
Ｇｒａｐｈｉｃ  Ｐｒｏｃｅｓｓｏｒ１３５は、ＤＲＡＭ１１６に蓄積された画像データに対して画像回転、画像変倍、色空間変換、二値化、スキャナ画像入力、プリンタ画像出力の処理を行う。ＳＲＡＭ１３６は、このＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００２７】
Ｎｅｔｗｏｒｋ  Ｃｏｎｔｏｒｌｌｅｒ１２１は、Ｉ／Ｆ１２３によってメインコントローラ１１１と接続され、コネクタ１２２によって外部ネットワークと接続される。ネットワークとしては、一般的にイーサネット（登録商標）が挙げられる。
【００２８】
汎用高速バス１２５には、拡張ボードを接続するための拡張コネクタ１２４とＩ／Ｏ制御部１２６とが接続される。汎用高速バスとしては、一般的にＰＣＩバスが挙げられる。
【００２９】
Ｉ／Ｏ制御部１２６には、リーダー部２００、プリンタ部３００の各ＣＰＵと制御コマンドを送受信するための調歩同期シリアル通信コントローラ１２７が２チャネル装備されており、Ｉ／Ｏバス１２８によって外部Ｉ／Ｆ回路１４０，１４５に接続されている。
【００３０】
パネルＩ／Ｆ１３２は、ＬＣＤコントローラ１３１に接続され、操作部１５０上の液晶画面に表示を行うためのＩ／Ｆと、ハードキーやタッチパネルキー等の入力を行うためのキー入力Ｉ／Ｆ１３０とから構成される。
【００３１】
操作部１５０は液晶表示部と液晶表示部上に張り付けられたタッチパネル入力装置と、複数個のハードキーを有する。タッチパネル又はハードキーにより入力された信号は、上述したパネルＩ／Ｆ１３２を介してＣＰＵ１１２に伝えられ、液晶表示部はパネルＩ／Ｆ１３２から送られてきた画像データを表示するものである。液晶表示部には、本画像形成装置の操作における機能表示や画像データ等が表示される。
【００３２】
リアルタイムクロックモジュール１３３は、装置内で管理している日付と時刻を更新／保存するためのもので、バックアップ電池１３４によってバックアップされている。
【００３３】
Ｅ−ＩＤＥインターフェース１６１は、外部記憶装置を接続するためのものである。本実施形態においては、このＩ／Ｆ１６１を介してＨＤ（ハードディスク）ドライブ１６０を接続している。このハードディスク１６２には、プログラムや画像データが記憶される。
【００３４】
コネクタ１４２、１４７は、それぞれリーダー部２００とプリンタ部３００とに接続され、同調歩同期シリアルＩ／Ｆ１４３、１４８とビデオＩ／Ｆ１４４、１４９とから構成される。
【００３５】
スキャナＩ／Ｆ１４０は、コネクタ１４２を介してリーダー部２００と接続され、またスキャナバス１４１によってメインコントローラ１１１と接続されており、リーダー部２００から受け取った画像に対して所定の処理を施す機能を有し、更にリーダー部２００から送られたビデオ制御信号に基づき生成した制御信号を、スキャナバス１４１に出力する機能も有する。
【００３６】
スキャナバス１４１からＤＲＡＭ１１６へのデータ転送は、バスコントローラ１１３によって制御される。
【００３７】
プリンタＩ／Ｆ１４５は、コネクタ１４７を介してプリンタ部３００と接続され、またプリンタバス１４６によってメインコントローラ１１１と接続されており、メインコントローラ１１１から出力された画像データに所定の処理を施し、プリンタ部３００へ出力する機能を有し、更にプリンタ部３００から送出されたビデオ制御信号に基づき生成した制御信号をプリンタバス１４６に出力する機能も有する。
【００３８】
ＤＲＡＭ１１６上に展開されたラスターイメージデータのプリンタ部３００への転送は、バスコントローラ１１３によって制御され、プリンタバス１４６、ビデオＩ／Ｆ１４９を経由してプリンタ部３００へＤＭＡ転送される。
【００３９】
＜スキャナ画像処理の説明＞
次に、スキャナＩ／Ｆ１４０におけるスキャナ画像処理の詳細な説明を行う。図５は、スキャナ画像処理を担う部分の詳細な構成を示すブロック図である。
【００４０】
図５に示すリーダー部２００からコネクタ１４２を介して送られる画像信号に対し、つなぎ＆ＭＴＦ補正部５０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。読取位置タイミングが補正されたデジタル信号は入力マスキング部５０２によってＣＣＤ２１８の分光特性及びランプ２１２及びミラー２１４、２１５、２１６の分光特性を補正する。入力マスキング部５０２の出力はＡＣＳカウント部５０３及びメインコントローラ１１１へと送られる。
【００４１】
＜ＡＣＳカウント部の説明＞
ここで、ＡＣＳ（オートカラーセレクト）カウント部５０３の説明を、図６を用いて行う。
【００４２】
オートカラーセレクト（以下、ＡＣＳ）は、原稿がカラーなのか白黒なのかを判定するものである。つまり、画素毎の彩度を求めてある閾値以上の画素がどれだけ存在するかでカラー判定を行うものである。しかし、白黒の原稿であっても、ＭＴＦ等の影響により、ミクロ的に見るとエッジ周辺に色画素が多数存在し、単純に画素単位でＡＣＳ判定を行うのは難しい。このＡＣＳ手法は様々な方法が提供されているが、本実施形態では、ＡＣＳの方法にはこだわらないため、ごく一般的な手法で説明を行う。
【００４３】
上述したように、白黒画像でもミクロ的に見ると色画素が多数存在するわけであるから、その画素が本当に色画素であるかどうかは、注目画素に対して周辺の色画素の情報で判定する必要がある。図６において、６０１は判定用のフィルタであり、注目画素に対して周辺画素を参照するためにＦＩＦＯの構造をとるものである。６０２はメインコントローラ１１１からセットされた６０７〜６１０のレジスタに設定された値とリーダー部２００から送られたビデオ制御信号６１２とに基づき、ＡＣＳをかける領域信号６０５を作成する回路である。６０３は色判定部で、ＡＣＳをかける領域信号６０５に基づき、注目画素に対してフィルタ６０１のメモリ内の周辺画素を参照し、注目画素が色画素か白黒画素かを決定するための色判定部である。６０４は色判定部６０３が出力した色判定信号の個数を数えるカウンタである。
【００４４】
メインコントローラ１１１は読み込み範囲に対してＡＣＳをかける領域を決定し、レジスタ６０７〜６１０に設定する（尚、本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判定する。
【００４５】
レジスタ６０７〜６１０には、主走査方向、副走査方向それぞれについて、色判定部６０３が判定を開始する位置、判定を終了する位置を、リーダー部２００から送られたビデオ制御信号６１２に基づいて設定しておくものとする。本実施形態では、実際の原稿の大きさよりもそれぞれ１０ｍｍ程度小さめに設定している。
【００４６】
尚、ＡＣＳを使用して画像信号がカラー又は白黒かを判定して出力するモードをＡＣＳモードとし、常にフルカラー画像信号で出力するモードをカラーモード、常に白黒画像信号で出力するモードを白黒モードとする。
【００４７】
＜プリンタＩ／Ｆの画像処理の説明＞
プリンタＩ／Ｆ１４５の画像処理を担う部分についての詳細な説明を行う。図７はプリンタＩ／Ｆの画像処理の詳細な構成を示すブロック図を示す。
【００４８】
メインコントローラ１１１からプリンタバス１４６を介して送られる画像信号は、まずＬＯＧ変換部７０１に入力される。ＬＯＧ変換部７０１は、ＬＯＧ変換でＲＧＢ信号からＣＭＹ信号に変換する。次に、モアレ除去部７０２でモアレが除去される。ＵＣＲ＆マスキング部７０３で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号は、γ補正部７０４で濃度調整された後、フィルタ部７０５でスムージング又はエッジ処理される。これらの処理を経て、コネクタ１４７を介してプリンタ部３００へと画像が送られる。
【００４９】
＜Ｇｒａｐｈｉｃ  Ｐｒｏｃｅｓｓｏｒの説明＞
次に、Ｇｒａｐｈｉｃ  Ｐｒｏｃｅｓｓｏｒ１３５についての詳細な説明を行う。図８はＧｒａｐｈｉｃ  Ｐｒｏｃｅｓｓｏｒ１３５の詳細な構成を示すブロック図である。
【００５０】
Ｇｒａｐｈｉｃ  Ｐｒｏｃｅｓｓｏｒ１３５は、画像回転、画像変倍、色空間変換、二値化の処理をそれぞれ行うモジュールを有する。ＳＲＡＭ１３６は、Ｇｒａｐｈｉｃ  Ｐｒｏｃｅｓｓｏｒ１３５の各々のモジュールの一時的なワーク領域として使用される。尚、各々のモジュールが用いるＳＲＡＭ１３６のワーク領域が競合しないように、予め各々のモジュール毎にワーク領域が静的に割り当てられている。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００５１】
このバスコントローラ１１３は、Ｇｒａｐｈｉｃ  Ｐｒｏｃｅｓｓｏｒ１３５の各々のモジュールにモード等を設定する制御及び各々のモジュールに画像データを転送するためのタイミング制御を行う。
【００５２】
以下、Ｇｒａｐｈｉｃ  Ｐｒｏｃｅｓｓｏｒ１３５における画像回転部８０１、画像変倍部８０２、色空間変換部８０３、画像二値化部８０５の各処理手順について詳細に説明する。
【００５３】
＜画像回転部の説明＞
まず、画像回転部８０１における処理手順を示す。ＣＰＵ１１２はバスコントローラ１１３に画像回転制御のための設定を行う。この設定により、バスコントローラ１１３はＩ／Ｆ１３７を介して画像回転部８０１に対して画像回転に必要な設定（例えば、画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。尚、ここでは回転を行う画像サイズを３２画素×３２ラインとし、また画像バス上に画像データを転送させる際に、２４ｂｙｔｅ（ＲＧＢ各々８ｂｉｔで１画素分）を単位とする画像転送を行うものとする。
【００５４】
上述したように、３２画素×３２ラインの画像を得るには、上述の単位データ転送を３２×３２回行う必要があり、且つ、不連続なアドレスから画像データを転送する必要がある（図９参照）。
【００５５】
この不連続アドレッシングにより転送された画像データは、読み出し時に所望の角度に回転されているようにＳＲＡＭ１３６に書き込まれる。例えば、９０度反時計方向回転であれば、転送される画像データを、図１０に示すようにＹ方向に書き込んでいき、読み出し時にＸ方向に読み出すことで、画像が回転される。
【００５６】
３２画素×３２ラインの画像回転（ＳＲＡＭ１３６への書き込み）が完了した後、画像回転部８０１はＳＲＡＭ１３６から上述した読み出し方法で画像データを読み出し、バスコントローラ１１３に画像を転送する。そして、回転処理された画像データを受け取ったバスコントローラ１１３は連続アドレッシングにより、ＤＲＡＭ１１６もしくはＩ／Ｆ上の各デバイスにデータを転送する。
【００５７】
こうした一連の処理は、ＣＰＵ１１２からの処理要求が無くなるまで（必要なページ数の処理が終わったとき）繰り返される。
【００５８】
＜画像変倍部の説明＞
次に、画像変倍部８０２における処理手順を示す。ＣＰＵ１１２はバスコントローラ１１３に画像変倍制御のための設定を行う。この設定により、バスコントローラ１１３はＩ／Ｆ１３７を介して画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００５９】
画像変倍部８０２は、受け取った画像データを一時ＳＲＡＭ１３６に格納し、これを入力バッファとして用い、格納したデータに対して主走査、副走査の変倍率に応じて必要な画素数、ライン数分だけ補間処理を行って画像を拡大もしくは縮小することで、変倍処理とする。変倍後のデータは再度ＳＲＡＭ１３６へ書き戻し、これを出力バッファとして画像変倍部８０２はＳＲＡＭ１３６から画像データを読み出し、バスコントローラ１１３に転送する。
【００６０】
上述のように変倍処理された画像データを受け取ったバスコントローラ１１３は、ＤＲＡＭ１１６もしくはＩ／Ｆ上の各デバイスにデータを転送する。
【００６１】
＜色空間変換部の説明＞
次に、色空間変換部８０３における処理手順を示す。ＣＰＵ１１２はバスコントローラ１１３に色空間変換制御のための設定を行う。この設定により、バスコントローラ１１３はＩ／Ｆ１３７を介して色空間変換部８０３及びＬＵＴ（ルックアップテーブル）８０４に対して色空間変換処理に必要な設定（後述のマトリックス演算の係数、ＬＵＴ８０４のテーブル値等）を行う。必要な設定を行った後、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６２】
色空間変換部８０３は、受け取った画像データ１画素毎に対して、まず下記の式で表される３×３のマトリックス演算を施す。
【００６３】
【数１】
2005027037.tif 000003
【００６４】
上記式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００６５】
上記式の演算によって、例えばＲＧＢ色空間からＹｕｖ色空間への変換など、各種の色空間変換を行うことができる。
【００６６】
次に、マトリックス演算後のデータに対してＬＵＴ８０４による変換を行う。これにより、非線形の変換も行うことができる。当然、スルーのテーブルを設定することにより実質的にＬＵＴ変換を行わないようにしても良い。その後、色空間変換部８０３は色空間変換処理された画像データをバスコントローラ１１３に転送する。
【００６７】
上述のように色空間変換処理された画像データを受け取ったバスコントローラ１１３は、ＤＲＡＭ１１６もしくはＩ／Ｆ上の各デバイスにデータを転送する。
【００６８】
＜画像二値化部の説明＞
次に、画像二値化部８０５における処理手順を示す。ＣＰＵ１１２はバスコントローラ１１３に二値化制御のための設定を行う。この設定により、バスコントローラ１１３はＩ／Ｆ１３７を介して画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６９】
画像二値化部８０５は、受け取った画像データに対して二値化処理を施す。尚、本実施形態では、二値化の手法としては、画像データを所定の閾値と比較して単純に二値化するものとする。もちろん、ディザ法、誤差拡散法、誤差拡散法又は改良したものなど、何れの手法によってもかまわない。
【００７０】
その後、画像二値化部８０５は二値化処理された画像データをバスコントローラ１１３に転送する。二値化処理された画像データを受け取ったバスコントローラ１１３は、ＤＲＡＭ１１６もしくはＩ／Ｆ上の各デバイスにデータを転送する。
【００７１】
＜ＰＤＬ画像出力時のシーケンス＞
図１１は、本実施形態におけるＰＤＬ画像出力の手順を示すフローチャートである。ＰＤＬ画像を出力する場合、まず、ステップＳ１１０１において、ＰＣ４０１上でユーザーが当該ＰＤＬ画像出力ジョブのプリント設定を行う。プリント設定の内容としては、部数、用紙サイズ、片面／両面、ページ出力順序、ソート出力、ステイプル止めの有無等である。
【００７２】
次に、ステップＳ１１０２において、ＰＣ４０１上で印刷指示が与えられると、ＰＣ４０１上にインストールされているドライバソフトウェアが、印刷対象となるＰＣ４０１上のコードデータを、いわゆるＰＤＬデータに変換する。そして、そのＰＤＬデータをステップＳ１１０１で設定したプリント設定パラメータと共に画像入出力システム１００の制御装置１１０にネットワーク４００を介して転送する。
【００７３】
次に、ステップＳ１１０３において、制御装置１１０内のメインコントローラ１１１のＣＰＵ１１２がコネクタ１２２及びＮｅｔｗｏｒｋＣｏｎｔｒｏｌｌｅｒ１２１を介して転送されたＰＤＬデータをプリント設定パラメータに基づいて画像データに展開（ラスタライズ）する。尚、画像データの展開は、ＤＲＡＭ１１６上に行われる。この画像データの展開が完了するとステップＳ１１０４へ進み、メインコントローラ１１１がＤＲＡＭ１１６上に展開された画像データをＧｒａｐｈｉｃ  Ｐｒｏｃｅｓｓｏｒ１３５へ転送する。
【００７４】
次に、ステップＳ１１０５において、Ｇｒａｐｈｉｃ  Ｐｒｏｃｅｓｓｏｒ１３５がプリント設定パラメータとは独立に画像処理を行う。例えば、プリント設定パラメータで指定された用紙サイズがＡ４であるにもかかわらず、プリンタ部３００の給紙ユニット３６０にはＡ４Ｒ用紙しかない場合には、Ｇｒａｐｈｉｃ  Ｐｒｏｃｅｓｓｏｒ１３５で画像を９０度回転することにより、出力用紙にあわせた画像出力を行うことができる。この画像データの画像処理が完了するとステップＳ１１０６へ進み、Ｇｒａｐｈｉｃ  Ｐｒｏｃｅｓｓｏｒ１３５がメインコントローラ１１１へ画像処理後の画像データを転送する。そして、メインコントローラ１１１は転送されてきた画像データをＤＲＡＭ１１６上に記憶する。
【００７５】
次に、ステップＳ１１０７において、メインコントローラ１１１はプリンタＩ／Ｆ１４５及びコネクタ１４７を介してプリンタ部３００を制御しつつ、適切なタイミングでＤＲＡＭ１１６上の画像データをプリンタ部３００へ転送する。
【００７６】
そして、ステップＳ１１０８において、制御装置１１０はプリンタ部３００を制御して画像データをプリント出力する。この画像データの転送が完了すると、即ち、このＰＤＬジョブが終了すると、プリント出力を終了する。
【００７７】
＜コピー画像出力時のシーケンス＞
図１２は、本実施形態におけるコピー画像出力の手順を示すフローチャートである。コピー画像を出力する場合、まず、ステップＳ１２０１において、操作部１５０上でユーザが当該コピー画像出力ジョブのコピー設定を行う。コピー設定の内容としては、部数、用紙サイズ、片面／両面、拡大／縮小率、ソート出力、ステイプル止めの有無等である。
【００７８】
次に、ステップＳ１２０２において、操作部１５０からコピー開始指示が与えられると、制御装置１１０のメインコントローラ１１１はスキャナＩ／Ｆ１４０及びコネクタ１４２を介してリーダー部２００を制御し、原稿の画像データの読み込み動作を行う。ここでは、原稿給紙ユニット２５０が載置された原稿を１枚ずつプラテンガラス２１１上へ給送し、その際同時に原稿のサイズを検知する。検知された原稿のサイズに基づいて原稿を露光走査することにより、画像データが読み取られる。この読み取られた画像データはＤＲＡＭ１１６上に記憶される。従来のコピー機では、コピー設定の拡大／縮小率の設定に応じて、即ち副走査方向の変倍率に応じて光学ユニット２１３の移動速度を変化させることにより、副走査方向の変倍処理を実現していた。
【００７９】
しかしながら、本実施形態では、コピー設定の拡大／縮小率の設定にかかわらず、必ず等倍（１００％）で画像データを読み取り、変倍処理については主走査方向、副走査方向ともに、Ｇｒａｐｈｉｃ  Ｐｒｏｃｅｓｓｏｒ１３５によって行うものとする。
【００８０】
次に、ステップＳ１２０３において、メインコントローラ１１１がＤＲＡＭ１１６上の画像データをＧｒａｐｈｉｃ  Ｐｒｏｃｅｓｓｏｒ１３５に転送する。そして、ステップＳ１２０４において、Ｇｒａｐｈｉｃ  Ｐｒｏｃｅｓｓｏｒ１３５はコピー設定パラメータに基づいて画像処理を行う。例えば、拡大４００％の設定がなされていれば、Ｇｒａｐｈｉｃ  Ｐｒｏｃｅｓｓｏｒ１３５内のモジュールである画像変倍部８０２を用いて主走査方向、副走査方向、双方への変倍処理を行う。この画像データの画像処理が完了するとステップＳ１２０５へ進む。このステップＳ１２０５では、Ｇｒａｐｈｉｃ  Ｐｒｏｃｅｓｓｏｒ１３５はメインコントローラ１１１へ画像処理後の画像データを転送する。これによりメインコントローラ１１１は転送されてきた画像データをＤＲＡＭ１１６上に記憶する。
【００８１】
次に、ステップＳ１２０６において、メインコントローラ１１１はプリンタＩ／Ｆ１４５及びコネクタ１４７を介してプリンタ部３００を制御しつつ、適切なタイミングでＤＲＡＭ１１６上の画像データをプリンタ部３００へ転送する。
【００８２】
そして、ステップＳ１２０７において、制御装置１１０がプリンタ部３００を制御して画像データをプリント出力する。この画像データの転送が完了すると、即ち、このコピージョブが終了すると、プリント出力を終了する。
【００８３】
＜スキャナＩ／Ｆ１４０による原稿の特徴抽出＞
図１３は、スキャナＩ／Ｆ１４０の詳細な構成を示すブロック図である。尚、図５及び図６に示したスキャナ画像処理を担う部分は同じ符号を付している。
【００８４】
図１３に示すように、リーダー部２００で読み込まれ、ＲＧＢ信号に変換されたデジタル画像データは、リーダー部２００からの制御信号１３０１により同期を取りながら、像域分離（文字判定）部１３０２に入力される。像域分離（文字判定）部１３０２は、制御信号１３０１の同期信号を１画素分受信すると、画素カウンタ１３０３をカウントアップする。ここで、像域分離（文字判定）部１３０２は、入力された画像データが原稿の文字部分を読み込んだものか、写真又は絵の部分を読み込んだものかを判定する。判定した結果、原稿の文字部分の画像データである場合には像域分離（文字判定）部１３０２は文字カウンタ１３０４をカウントアップする。
【００８５】
上述の文字判定処理と同時に、入力された画像データはつなぎ＆ＭＴＦ補正部５０１で補正処理を施された後、入力マスキング部５０２で強調処理等を施されると同時にフィルタ６０１を介して色判定部６０３に入力され、レジスタ６０７〜６１０に設定されたＡＣＳ判定領域に従ってＡＣＳ判定領域検出回路６０２がＡＣＳ判定領域であると判断した領域の色判定を行う。また、色判定部６０３で入力された画素が有彩色であると判定した場合、色判定部６０３はＡＣＳカウンタ６０４をカウントアップする。
【００８６】
このように、図１３に示す構成により、リーダー部２００からスキャナＩ／Ｆ１４０に入力された画像データに基づいて全ての画素数が画素カウンタ１３０３でカウントされ、原稿の文字領域をスキャンしたと判断された画素数が文字カウンタ１３０４でカウントされ、有彩色（色がある）と判断された画素数がＡＣＳカウンタ６０４でカウントされ、原稿の特徴が抽出される。ここで、原稿の特徴としては、白黒多値、ハーフトーン二値、単純二値、カラー多値などで、詳細は更に後述する。
【００８７】
図１４は、本実施形態における変換処理を説明するためのブロック図である。尚、図４及び図８に示した部分と同じものには同じ符号を付している。
【００８８】
本実施形態における変換処理は、リーダー部２００で読み込まれ、ＲＧＢ信号に変換された画像データを上述のスキャナＩ／Ｆ１４０で抽出された原稿の特徴に応じて白黒多値、ハーフトーン二値、単純二値、カラー多値のフォーマットに変換し、ＨＤ１６２に格納する処理である。
【００８９】
まず、リーダー部２００から入力された画像データはスキャナＩ／Ｆ１４０で判定処理が行われた後、バスコントローラ１１３を介してＤＲＡＭ１１６に格納される。ここで格納された画像データは、ＣＰＵ１１２の指示に従ってＧｒａｐｈｉｃ  Ｐｒｏｃｅｓｓｏｒ１３５の画像回転部８０１、画像変倍部８０２、色空間変換部８０３、画像二値化部８０５で、それぞれ回転処理、変倍処理、色空間変換処理、二値化処理が行われ、バスコントローラ１１３を介して再度ＤＲＡＭ１１６に保存される。そして、ＤＲＡＭ１１６上でＣＰＵ１１２によってＭＭＲ処理、ＪＰＥＧ処理などの圧縮処理が行われた後、バスコントローラ１１３を介してＩ／Ｏ制御部１２６に送られ、Ｉ／Ｏ制御部１２６にコネクタ１６１で接続されているＨＤドライブ１６０を介してＨＤ１６２に転送されて格納される。
【００９０】
図１５は、本実施形態における変換処理を示すフローチャートである。まず、プラテンガラス２１１上の原稿がＣＣＤ２１８に読み込まれ、リーダー画像処理部２２２でアナログ・デジタル変換された画像データは、スキャナＩ／Ｆ１４０で上述した原稿の特徴を抽出する処理（文字領域判定、色判定）が行われた後、バスコントローラ１１３を介してＤＲＡＭ１１６に格納される（ステップＳ１５０１）。次に、ＣＰＵ１１２は読み込んだ画像データの領域の情報を判断するために、画素カウンタ１３０３、文字カウンタ１３０４からそれぞれのカウンタ値を取得する。そして、画素カウンタ１３０３のカウンタ値をＣｔ、文字カウンタ１３０４のカウンタ値をＣｍとしてＤＲＡＭ１１６に保存する（ステップＳ１５０２）。
【００９１】
次に、ＣＰＵ１１２は読み込まれた画像データの色判定の結果を判断するために、ＡＣＳカウンタ６０４のカウンタ値を取得し、ＣｃとしてＤＲＡＭ１１６に保存する（ステップＳ１５０３）。そして、ＣＰＵ１１２は、ＤＲＡＭ１１６に保存されている画像データが白黒原稿を読み込んだものと判定したときに変換するファイルの種別を決定するための係数をＲＯＭ１１４から取得する（ステップＳ１５０４）。このファイル種別を決定するための係数は、単純二値ファイルに変換するための係数Ｔｂとハーフトーン二値ファイルに変換するための係数Ｔｈがある。
【００９２】
ここで、ＣＰＵ１１２は、取得したＡＣＳカウンタ６０４のカウンタ値Ｃｃを判断し、Ｃｃ≠０の場合には、読み込んだ画像データに有彩色部分がある、即ち色が付いたカラー原稿を読み込んだと判断し（ステップＳ１５０５のＹＥＳ）、色空間変換部８０３にカラー画像生成用のパラメータを設定し、ＬＵＴ８０４にカラー画像生成用のテーブルを設定した後、ＤＲＡＭ１１６からバスコントローラ１１３を介して色空間変換部８０３に画像データを転送してカラー用の色空間変換を行い、再度ＤＲＡＭ１１６に格納する。その後、カラー用の画像処理が施されたＤＲＡＭ１１６上の画像データをＤＲＡＭ１１６上でＪＰＥＧ圧縮する（ステップＳ１５１１）。
【００９３】
また、ステップＳ１５０５で、ＣＰＵ１１２は取得したＡＣＳカウンタ６０４のカウンタ値Ｃｃを判断し、Ｃｃ＝０の場合には、読み込んだ画像データに有彩色部分がない、即ち色の付いていない白黒原稿を読み込んだと判断し、白黒画像のファイル判定を行う処理（ステップＳ１５０６）へ進む。
【００９４】
ここで、ＣＰＵ１１２は、取得した画素カウンタ１３０３のカウンタ値Ｃｔ、文字カウンタ１３０４のカウンタ値Ｃｍ、単純二値ファイルに変換するための係数Ｔｂとハーフトーン二値ファイルに変換するための係数Ｔｈに基づき、次式が満たされるか否かを判断する。
【００９５】
Ｃｍ／Ｃｔ＞Ｔｂ  （式１）
上記の式１が満たされた場合、即ち総画素数に対して文字と判断された画素数が予め定められている単純二値ファイルにするための係数値より大きいと判断し（ステップＳ１５０６のＹＥＳ）、ＤＲＡＭ１１６に保存されている画像データから単純二値のファイルを作成するために、色空間変換部８０３に白黒単純二値用のパラメータを設定し、ＬＵＴ８０４に白黒単純二値画像生成用のテーブルを設定した後、ＤＲＡＭ１１６からバスコントローラ１１３を介して色空間変換部８０３に画像データを転送して白黒単純二値用の色空間変換を行い、画像二値化部８０５で多値→二値変換を行った後、再度ＤＲＡＭ１１６に格納する。その後、白黒単純二値用の画像処理が施されたＤＲＡＭ１１６上の画像データをＤＲＡＭ１１６上でＭＭＲ圧縮する（ステップＳ１５１０）。
【００９６】
また、ＣＰＵ１１２は上記の式１が満たされないと判断した場合（ステップＳ１５０６のＮＯ）、次の式２が満たされるか否かを判断する。
【００９７】
Ｔｂ≧Ｃｍ／Ｃｔ＞Ｔｈ  （式２）
上記の式２が満たされた場合、即ち総画素数に対して文字と判断された画素数が予め定められている単純二値ファイルにするための係数値より小さく、ハーフトーン二値ファイルにするための係数より大きいと判断し（ステップＳ１５０７のＹＥＳ）、ＤＲＡＭ１１６に保存されている画像データからハーフトーン二値のファイルを作成するために、色空間変換部８０３にハーフトーン二値用のパラメータを設定し、ＬＵＴ８０４に白黒ハーフトーン二値画像生成用のテーブルを設定した後、ＤＲＡＭ１１６からバスコントローラ１１３を介して色空間変換部８０３に画像データを転送して白黒ハーフトーン二値の色空間変換を行い、画像二値化部８０５で多値→二値変換を行った後、再度ＤＲＡＭ１１６に格納する。その後、白黒ハーフトーン二値用の画像処理が施されたＤＲＡＭ１１６上の画像データをＤＲＡＭ１１６３上でＭＭＲ圧縮する（ステップＳ１５０９）。
【００９８】
一方、ＣＰＵ１１２は上記の式１、式２のどちらも満たさないと判断した場合（ステップＳ１５０７のＮＯ）、ＤＲＡＭ１１６に保存されている画像データから白黒多値の画像ファイルを作成するために、色空間変換部８０３に白黒多値用のパラメータを設定し、ＬＵＴ８０４に白黒多値画像生成用のテーブルを設定した後、ＤＲＡＭ１１６からバスコントローラ１１３を介して色空間変換部８０３に画像データを転送して白黒多値用の色空間変換を行い、再度ＤＲＡＭ１１６に格納する。その後、白黒多値用の画像処理が施されたＤＲＡＭ１１６上の画像データをＤＲＡＭ１１６上でＪＰＥＧ圧縮する（ステップＳ１５０８）。
【００９９】
そして、ＣＰＵ１１２は、上述したステップＳ１５０８〜Ｓ１５１１において所定の変換が行われた画像データをＤＲＡＭ１１６からバスコントローラ１１３を介してＩ／Ｏ制御部１２６に送出し、Ｉ／Ｏ制御部１２６にコネクタ１６１により接続されているＨＤドライブ１６０を介してＨＤ１６２に転送して格納する（ステップＳ１５１２）。
【０１００】
以上説明したように、本実施形態によれば、画像入出力装置の原稿読取手段で原稿を読み取り、読み取った原稿の画像データに基づいて原稿の特徴を抽出し、その原稿の特徴に応じて画像データの色空間変換、多値二値変換、圧縮形式などの切り替えを行い、読み取った原稿に最適な画像フォーマットに変換することができる。
【０１０１】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【０１０２】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【０１０３】
この場合、記録媒体から読出されたプログラムコード自体が前述した実施形態の機能を実現することになり、そのプログラムコードを記憶した記録媒体は本発明を構成することになる。
【０１０４】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１０５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０１０６】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０１０７】
【発明の効果】
以上説明したように、本発明によれば、ユーザーが煩雑な作業を行うことなく、最適な階調性と圧縮形式の画像データに変換することができる。
【図面の簡単な説明】
【図１】本実施形態における画像入出力システムの全体構成を示す図である。
【図２】リーダー部２００及びプリンタ部３００の側断面図である。
【図３】リーダー画像処理部２２２の詳細な構成を示すブロック図である。
【図４】制御装置１１０の構成を示すブロック図である。
【図５】スキャナ画像処理を担う部分の詳細な構成を示すブロック図である。
【図６】ＡＣＳ（オートカラーセレクト）カウント部５０３の構成を示す図である。
【図７】プリンタＩ／Ｆの画像処理の詳細な構成を示すブロック図である。
【図８】Ｇｒａｐｈｉｃ  Ｐｒｏｃｅｓｓｏｒ１３５の詳細な構成を示すブロック図である。
【図９】画像回転部８０１での画像転送を説明するための図である。
【図１０】画像回転部８０１での画像回転を説明するための図である。
【図１１】本実施形態におけるＰＤＬ画像出力の手順を示すフローチャートである。
【図１２】本実施形態におけるコピー画像出力の手順を示すフローチャートである。
【図１３】スキャナＩ／Ｆ１４０の詳細な構成を示すブロック図である。
【図１４】本実施形態における変換処理を説明するためのブロック図である。
【図１５】本実施形態における変換処理を示すフローチャートである。
【図１】
2005027037.tif 000004
【図２】
2005027037.tif 000005
【図３】
2005027037.tif 000006
【図４】
2005027037.tif 000007
【図５】
2005027037.tif 000008
【図６】
2005027037.tif 000009
【図７】
2005027037.tif 000010
【図８】
2005027037.tif 000011
【図９】
2005027037.tif 000012
【図１０】
2005027037.tif 000013
【図１１】
2005027037.tif 000014
【図１２】
2005027037.tif 000015
【図１３】
2005027037.tif 000016
【図１４】
2005027037.tif 000017
【図１５】
2005027037.tif 000018